(57)【要約】【課題】警戒設定モードを簡便に設定することができ、またその各警戒モードの特有の設定条件を個別に簡便に設定することができ、使用者にとってわかりやすいユーザーインターフェースを備える。【解決手段】複数の端末機器１１である人感センサと無線通信手段８を用いて接続する情報機器１で、この人感センサに対して情報機器上の液晶パネル３には設定機能３１を有している。この設定機能とは、センサを在室者の行動に合わせて警戒設定することができ、外出時には全てのセンサを警戒状態にする外出警戒モード、家に人が居る場合特定のセンサのみを警戒状態にする在宅警戒モード、全ての警戒状態を解除するための警戒解除モード、それぞれの警戒状態を行うにあたって各警戒モード、各センサの設定を行う設定モードとから構成される。【選択図】  図３
2004252532.tif 000002
【特許請求の範囲】
【請求項１】
家庭内の１つまたは複数の端末機器と通信手段を介して接続することができる情報機器で、前記端末機器の一部がセンサから構成されており、前記センサに対して設定機能を有した情報機器において、前記情報機器に前記端末機器の機能設定を行うための設定手段と、前記設定手段上で前記センサの設定モードを在室者の行動に合わせて設定することができる設定モード変更機能とを備えたことを特徴とする情報機器。
【請求項２】
家庭内の１つまたは複数の端末機器と通信手段を介して接続することができる情報機器で、前記端末機器の一部がセンサから構成されており、前記センサに対して設定機能を有した情報機器において、前記情報機器に前記端末機器の機能設定を行うための設定手段を備え、前記設定手段上で前記センサの設定モードを在室者の行動に合わせて設定することができ、前記センサの設定モードを外部の通信装置から外部サーバーを経由して確認・変更することができることを特徴とする請求項１記載の情報機器。
【請求項３】
家庭内の１つまたは複数の端末機器からの情報を通信手段を介して情報機器へ収集することができる情報受信手段と、前記端末機器の一部がセンサから構成されており、前記端末機器へ機能設定情報を送信するための情報送信手段と、前記情報機器に前記端末機器の機能設定を表示するための設定手段と、前記設定手段上で前記センサの設定モードを在室者の行動に合わせて設定することができる設定モード変更機能とから構成されており、前記設定モードは人が家に居ない場合の警戒設定と、人が家に居る場合の警戒設定と、前記警戒設定を解除する場合の設定解除と、設定条件を設定する場合とから構成されることを特徴とする情報システム。
【請求項４】
家庭内の１つまたは複数の端末機器からの情報を通信手段を介して情報機器へ収集することができる情報受信手段と、前記端末機器の一部がセンサから構成されており、前記端末機器へ機能設定情報を送信するための情報送信手段と、前記情報機器に前記端末機器の機能設定を表示するための設定手段と、前記設定手段上で前記センサの設定モードを在室者の行動に合わせて設定することができる設定モード変更機能とから構成されており、前記設定モードのうち設定解除状態から、人が家に居ない場合の警戒状態と人が家に居る場合の警戒状態へとそれぞれ移行するまでの時間を設定条件を設定するモードで変更することができる構成とからなることを特徴とする情報システム。
【請求項５】
家庭内の１つまたは複数の端末機器からの情報を通信手段を介して情報機器へ収集することができる情報受信手段と、前記端末機器の一部がセンサから構成されており、前記端末機器へ機能設定情報を送信するための情報送信手段と、前記情報機器に前記端末機器の機能設定を表示するための設定手段と、前記設定手段上で前記センサの設定モードを在室者の行動に合わせて設定することができる設定モード変更機能とから構成されており、前記設定モードのうち設定解除状態から人が家に居ない場合の警戒状態と人が家に居る場合の警戒状態へとそれぞれ移行する時に、該当センサの状態を確認し、警戒状態に移行できない時は警告手段を表示することができる構成とからなることを特徴とする情報システム。
【請求項６】
家庭内の１つまたは複数の端末機器からの情報を通信手段を介して情報機器へ収集することができる情報受信手段と、前記端末機器の一部がセンサから構成されており、前記端末機器へ機能設定情報を送信するための情報送信手段と、前記情報機器に前記端末機器の機能設定を表示するための設定手段と、前記設定手段上で前記センサの設定モードを在室者の行動に合わせて設定することができる設定モード変更機能とから構成されており、前記設定モードのうち人が家に居ない場合の警戒状態かまたは、人が家に居る場合の警戒状態に設定されている時、前記警戒状態を暗証番号を用いて解除することができる構成とからなることを特徴とする情報システム。
【請求項７】
家庭内の１つまたは複数の端末機器からの情報を通信手段を介して情報機器へ収集することができる情報受信手段と、前記端末機器の一部がセンサから構成されており、前記端末機器へ機能設定情報を送信するための情報送信手段と、前記情報機器に前記端末機器の機能設定を表示するための設定手段と、前記設定手段上で前記センサの設定モードを在室者の行動に合わせて設定することができる設定モード変更機能とから構成されており、前記設定モードにおいて人が家に居ない場合の警戒状態および人が家に居る場合の警戒状態を解除するための暗証番号を、設定モードで設定することができ、前記暗証番号を外部サーバに送信し記憶させる構成とからなることを特徴とする情報システム。
【請求項８】
家庭内の１つまたは複数の端末機器からの情報を通信手段を介して情報機器へ収集することができる情報受信手段と、前記端末機器の一部がセンサから構成されており、前記端末機器へ機能設定情報を送信するための情報送信手段と、前記情報機器に前記端末機器の機能設定を表示するための設定手段と、前記設定手段上で前記センサの設定モードを在室者の行動に合わせて設定することができる設定モード変更機能とから構成されており、前記設定モードにおいて人が家に居ない場合の警戒状態および人が家に居る場合の警戒状態の時に前記センサが反応した時通知する外線電話番号を設定モードで設定し、前記設定した外線電話に対してセンサを反応させずにテスト通話することができる構成とからなることを特徴とする情報システム。
【請求項９】
家庭内の１つまたは複数の端末機器からの情報を通信手段を介して情報機器へ収集することができる情報受信手段と、前記端末機器の一部がセンサから構成されており、前記端末機器へ機能設定情報を送信するための情報送信手段と、前記情報機器に前記端末機器の機能設定を表示するための設定手段と、前記設定手段上で前記センサの設定モードを在室者の行動に合わせて設定することができる設定モード変更機能とから構成されており、前記設定モードにおいて人が家に居ない場合の警戒状態および人が家に居る場合の警戒状態の時に前記センサが反応した時通知する外線電話番号を設定モードで設定し、前記外線電話番号のかかり先の内容も登録することができる構成とからなることを特徴とする情報システム。
【請求項１０】
家庭内の１つまたは複数の端末機器からの情報を通信手段を介して情報機器へ収集することができる情報受信手段と、前記端末機器の一部がセンサから構成されており、前記端末機器へ機能設定情報を送信するための情報送信手段と、前記情報機器に前記端末機器の機能設定を表示するための設定手段と、前記設定手段上で前記センサの設定モードを在室者の行動に合わせて設定することができる設定モード変更機能とから構成されており、前記センサの設定モードを外部の通信装置から外部サーバーを経由して確認することができ、前記設定モードを人が家に居ない場合の警戒設定にすることができる手段と、前記警戒設定を解除することができる手段とから構成されることを特徴とする情報システム。
【請求項１１】
家庭内の１つまたは複数の端末機器からの情報を通信手段を介して収集することができる情報機器と、前記情報機器へ通信手段を介して情報を送受信することができる端末機器と、前記端末機器の一部がセンサから構成されており、前記センサの設定モードを在室者の行動に合わせて設定することができる情報システムにおいて、前記設定モードのうち人が家に居ない場合の警戒モードと、人が家に居る場合の警戒モードと、前記警戒モードを解除するための設定解除と、設定条件を設定するための設定モードから構成され、それらを選択するステップと、前記警戒モードに設定する前に前記設定モードにおいて、警戒に必要な時間条件を設定するステップとからなることを特徴とする情報システムの制御方法。
【請求項１２】
家庭内の１つまたは複数の端末機器からの情報を通信手段を介して収集することができる情報機器と、前記情報機器へ通信手段を介して情報を送受信することができる端末機器と、前記端末機器の一部がセンサから構成されており、前記センサの設定モードを在室者の行動に合わせて設定することができる情報システムにおいて、前記設定モードのうち人が家に居ない場合の警戒モードと、人が家に居る場合の警戒モードと、前記警戒モードを解除するための設定解除と、設定条件を設定するための設定モードから構成され、それらを選択するステップと、前記警戒モードに設定する前に前記それぞれの設定モードにおいて、警戒に必要な特有の設定条件を個別に設定するステップとからなることを特徴とする情報システムの制御方法。
【請求項１３】
請求項１〜１０のいずれかに記載の情報機器、情報システムの少なくとも一つの手段をコンピュータに実行させるためのプログラム。
【発明の詳細な説明】
【０００１】
【発明の属する技術分野】
本発明は、家庭内の１つまたは複数の端末機器と通信手段を介して接続することができる情報機器で、前記端末機器の一部がセンサから構成されており、前記センサに対して設定機能を有した情報機器、情報システムおよびその制御方法、プログラムに関するものである。
【０００２】
【従来の技術】
近年、家屋侵入による窃盗犯罪の増加に伴い、住居における監視システムの需要が増加している。従来この種の監視システムは、侵入者検知用の複数のセンサ端末機器とその情報を収集し警報を発する中央処理装置との組み合わせであった。また最近では、警備モードを記憶し警報内容を表示する情報装置も開発され始めている（例えば、特許文献１参照）。さらに、中央処理装置でのさまざまな処理を暗証番号を入力することによって行う監視システムもある（例えば、特許文献２参照）。
【０００３】
【特許文献１】
特開平５−６４９０号公報
【特許文献２】
特開２０００−２００３９６号公報
【０００４】
【発明が解決しようとする課題】
しかしながら前記従来の構成では、居住者が家に居るのか、居ないのかの場合や、家に居る場合でもどこの部屋で何をしているか、寝ているのか起きているのか等の行動をもとに警戒モードを設定することができなかったり、またその各警戒モードの設定条件は警報時間や待機時間、警報音量等多数あり、それらを一つ一つ設定することが非常に煩わしく、さらに警戒モードを設定するためにその設定画面まで一つ一つ表示させなければならず手順が非常に煩わしいものもある。また、警戒設定を解除するための暗証番号から成る個人識別情報自体を、バックアップなしに保存しておくと、その暗証番号を忘れてしまった場合、警戒設定を解除することができない等種々の問題が生じる。従って、警戒モードの選択を容易にすることや、またその各警戒モードの設定を容易にすることは非常に重要なことであり、さらに暗証番号忘れによる設定解除不可を防止することは使い勝手の観点から見ても非常に重要なことである。また、外部携帯情報端末からも同じように警戒設定モードを行うことができることは、外出した時に外出警戒設定に設定し忘れた時のため等に必要なことである。
【０００５】
本発明は、上記従来の課題を解決するためのもので、警戒設定モードを簡便に設定することができ、またその各警戒モードの特有の設定条件を個別に簡便に設定することができる。さらに、暗証番号忘れによる警戒モード解除不可を防止することができる。また、携帯電話等の外部の通信装置からも同じように警戒設定モードを設定することができ、設定を解除することができる。
【０００６】
このようにして、本発明は種々の設定を容易に行うことができ、また外部の通信装置からも容易に操作することができる情報機器、情報システムおよびその制御方法、プログラムを提供することを目的とするものである。
【０００７】
【課題を解決するための手段】
前記従来の課題を解決するために、本発明の情報機器は、家庭内の１つまたは複数の端末機器と通信手段を介して接続することができる情報機器で、前記端末機器の一部がセンサから構成されており、前記センサに対して設定機能を有した情報機器において、前記情報機器に前記端末機器の機能設定を行うための設定手段と、前記設定手段上で前記センサの設定モードを在室者の行動に合わせて設定することができる設定モード変更機能とを備えたことを特徴とする情報機器を提供するものである。
【０００８】
また、本発明の情報システムは、家庭内の１つまたは複数の端末機器からの情報を通信手段を介して情報機器へ収集することができる情報受信手段と、前記端末機器の一部がセンサから構成されており、前記端末機器へ機能設定情報を送信するための情報送信手段と、前記情報機器に前記端末機器の機能設定を表示するための設定手段と、前記設定手段上で前記センサの設定モードを在室者の行動に合わせて設定することができる設定モード変更機能とから構成されており、前記設定モードは人が家に居ない場合の警戒設定と、人が家に居る場合の警戒設定と、前記警戒設定を解除する場合の設定解除と、設定条件を設定する場合とから構成されることを特徴とする情報システムを提供するものである。
【０００９】
以上のような構成とすることにより、本発明によれば、警戒設定モードを外出した場合や在宅した場合等のように在室者の行動に合わせて設定することができ、その設定条件は最初に入力しておけば良く、簡便に設定することができ、またその各警戒モードの特有の設定条件を、個別の条件設定画面で一括して行うことができるので簡便に設定することができるものである。従って、情報装置は使用者にとってわかりやすいユーザーインターフェースを備えることができるものである。
【００１０】
【発明の実施の形態】
請求項１記載の発明は、家庭内の１つまたは複数の端末機器と通信手段を介して接続することができる情報機器で、前記端末機器の一部がセンサから構成されており、前記センサに対して設定機能を有した情報機器において、前記情報機器に前記端末機器の機能設定を行うための設定手段と、前記設定手段上で前記センサの設定モードを在室者の行動に合わせて設定することができる設定モード変更機能とを備えたことを特徴とする情報機器を提供するものである。
【００１１】
これによって、設定手段上でセンサの設定モードを、外出した場合や在室している場合等の在室者の行動に合わせて設定することができるので、警戒設定モードを簡便に設定することができるものである。従って、情報装置は使用者にとってわかりやすいユーザーインターフェースを備えることができるものである。
【００１２】
また、請求項２記載の発明は、家庭内の１つまたは複数の端末機器と通信手段を介して接続することができる情報機器で、前記端末機器の一部がセンサから構成されており、前記センサに対して設定機能を有した情報機器において、前記情報機器に前記端末機器の機能設定を行うための設定手段と、前記設定手段上で前記センサの設定モードを在室者の行動に合わせて設定することができ、前記センサの設定モードを外部の通信装置から外部サーバーを経由して確認・変更することができることを特徴とする請求項１記載の情報機器を提供するものである。
【００１３】
これによって、センサの設定モードを外部の通信装置から外部サーバーを経由して確認・変更することができるので、警戒設定モードを家の外部から簡便に設定することができ、またその警戒モードを家の外部から簡便に解除することができるものである。従って、情報装置は使用者にとってわかりやすいユーザーインターフェースを備えることができるものである。
【００１４】
請求項３記載の発明は、家庭内の１つまたは複数の端末機器からの情報を通信手段を介して情報機器へ収集することができる情報受信手段と、前記端末機器の一部がセンサから構成されており、前記端末機器へ機能設定情報を送信するための情報送信手段と、前記情報機器に前記端末機器の機能設定を表示するための設定手段と、前記設定手段上で前記センサの設定モードを在室者の行動に合わせて設定することができる設定モード変更機能とから構成されており、前記設定モードは人が家に居ない場合の警戒設定と、人が家に居る場合の警戒設定と、前記警戒設定を解除する場合の設定解除と、設定条件を設定する場合とから構成されることを特徴とする情報システムを提供するものである。
【００１５】
これによって、在室者の行動にあわせて外出の場合や在室の場合で警戒設定モードを簡便に設定・解除することができ、またその各警戒モードの特有の設定条件を、それら設定条件を設定する個別の画面を用いて設定することができるので、個々に簡便に設定することができるものである。従って、この情報システムは使用者にとってわかりやすいユーザーインターフェースを備えているものである。
【００１６】
請求項４記載の発明は、家庭内の１つまたは複数の端末機器からの情報を通信手段を介して情報機器へ収集することができる情報受信手段と、前記端末機器の一部がセンサから構成されており、前記端末機器へ機能設定情報を送信するための情報送信手段と、前記情報機器に前記端末機器の機能設定を表示するための設定手段と、前記設定手段上で前記センサの設定モードを在室者の行動に合わせて設定することができる設定モード変更機能とから構成されており、前記設定モードのうち設定解除状態から、人が家に居ない場合の警戒状態と、人が家に居る場合の警戒状態へとそれぞれ移行するまでの時間を、設定条件を設定するモードで変更することができる構成とからなることを特徴とする情報システムを提供するものである。
【００１７】
これによって、在室者の行動にあわせて外出の場合や在室の場合で警戒設定モードを簡便に設定・解除することができ、また設定解除状態から、人が家に居ない場合の警戒状態と、人が家に居る場合の警戒状態へとそれぞれ移行するまでの時間を、設定条件を設定するモードで変更することができるので、個々に簡便に設定条件を変更することができるものである。従って、この情報システムは使用者にとってわかりやすいユーザーインターフェースを備えているものである。
【００１８】
請求項５記載の発明は、家庭内の１つまたは複数の端末機器からの情報を通信手段を介して情報機器へ収集することができる情報受信手段と、前記端末機器の一部がセンサから構成されており、前記端末機器へ機能設定情報を送信するための情報送信手段と、前記情報機器に前記端末機器の機能設定を表示するための設定手段と、前記設定手段上で前記センサの設定モードを在室者の行動に合わせて設定することができる設定モード変更機能とから構成されており、前記設定モードのうち設定解除状態から、人が家に居ない場合の警戒状態と、人が家に居る場合の警戒状態へとそれぞれ移行する時に、該当センサの状態を確認し、警戒状態に移行できない時は警告手段を表示することができる構成とからなることを特徴とする情報システムを提供するものである。
【００１９】
これによって、在室者の行動にあわせて外出の場合や在室の場合で警戒設定モードを簡便に設定・解除することができ、また設定解除状態から、人が家に居ない場合の警戒状態と、人が家に居る場合の警戒状態へとそれぞれ移行する時に、警戒該当センサの状態を確認し、警戒状態に移行できない時は警告手段を表示することができるので、正確に警戒状態に移行したかどうかを容易に判断することができるものである。従って、この情報システムは使用者にとってわかりやすいユーザーインターフェースを備えているものである。
【００２０】
請求項６記載の発明は、家庭内の１つまたは複数の端末機器からの情報を通信手段を介して情報機器へ収集することができる情報受信手段と、前記端末機器の一部がセンサから構成されており、前記端末機器へ機能設定情報を送信するための情報送信手段と、前記情報機器に前記端末機器の機能設定を表示するための設定手段と、前記設定手段上で前記センサの設定モードを在室者の行動に合わせて設定することができる設定モード変更機能とから構成されており、前記設定モードのうち人が家に居ない場合の警戒状態かまたは、人が家に居る場合の警戒状態に設定されている時、前記警戒状態を暗証番号を用いて解除することができる構成とからなることを特徴とする情報システムを提供するものである。
【００２１】
これによって、在室者の行動にあわせて外出の場合や在室の場合で警戒設定モードを簡便に設定・解除することができ、また人が家に居ない場合の警戒状態かまたは、人が家に居る場合の警戒状態に設定されている時、警戒状態を暗証番号を用いて解除することができるので、家人以外は容易に解除することができないものである。従って、この情報システムは使用者にとって使いやすいユーザーインターフェースを備えているものである。
【００２２】
請求項７記載の発明は、家庭内の１つまたは複数の端末機器からの情報を通信手段を介して情報機器へ収集することができる情報受信手段と、前記端末機器の一部がセンサから構成されており、前記端末機器へ機能設定情報を送信するための情報送信手段と、前記情報機器に前記端末機器の機能設定を表示するための設定手段と、前記設定手段上で前記センサの設定モードを在室者の行動に合わせて設定することができる設定モード変更機能とから構成されており、前記設定モードにおいて人が家に居ない場合の警戒状態および、人が家に居る場合の警戒状態を解除するための暗証番号を、設定モードで設定することができ、前記暗証番号を外部サーバに送信し記憶させる構成とからなることを特徴とする情報システムを提供するものである。
【００２３】
これによって、在室者の行動にあわせて外出の場合や在室の場合で警戒設定モードを簡便に設定・解除することができ、またその各警戒モードを解除するための暗証番号を、設定モードで設定することができ、この暗証番号を外部サーバに送信し記憶させることができるので、暗証番号忘れによる警戒モード解除不可を防止することができるものである。従って、この情報システムは使用者にとって安全なユーザーインターフェースを備えているものである。
【００２４】
請求項８記載の発明は、家庭内の１つまたは複数の端末機器からの情報を通信手段を介して情報機器へ収集することができる情報受信手段と、前記端末機器の一部がセンサから構成されており、前記端末機器へ機能設定情報を送信するための情報送信手段と、前記情報機器に前記端末機器の機能設定を表示するための設定手段と、前記設定手段上で前記センサの設定モードを在室者の行動に合わせて設定することができる設定モード変更機能とから構成されており、前記設定モードにおいて人が家に居ない場合の警戒状態および、人が家に居る場合の警戒状態の時に前記センサが反応した時通知する外線電話番号を設定モードで設定し、前記設定した外線電話に対してセンサを反応させずにテスト通話することができる構成とからなることを特徴とする情報システムを提供するものである。
【００２５】
これによって、在室者の行動にあわせて外出の場合や在室の場合で警戒設定モードを簡便に設定・解除することができ、またその各警戒モードの時にセンサが反応した時通知する外線電話番号を設定モードで設定し、前記設定した外線通報先に対してセンサを反応させずにテスト通話することができるので、設定の番号間違い等を予め予防することができ、緊急時のエラーを防止することができるものである。従って、この情報システムは使用者にとって安全なユーザーインターフェースを備えているものである。
【００２６】
請求項９記載の発明は、家庭内の１つまたは複数の端末機器からの情報を通信手段を介して情報機器へ収集することができる情報受信手段と、前記端末機器の一部がセンサから構成されており、前記端末機器へ機能設定情報を送信するための情報送信手段と、前記情報機器に前記端末機器の機能設定を表示するための設定手段と、前記設定手段上で前記センサの設定モードを在室者の行動に合わせて設定することができる設定モード変更機能とから構成されており、前記設定モードにおいて人が家に居ない場合の警戒状態および、人が家に居る場合の警戒状態の時に前記センサが反応した時通知する外線電話番号を設定モードで設定し、前記外線電話番号のかかり先の内容も登録することができる構成とからなることを特徴とする情報システムを提供するものである。
【００２７】
これによって、在室者の行動にあわせて外出の場合や在室の場合で警戒設定モードを簡便に設定・解除することができ、またその各警戒モードの時にセンサが反応した時通知する外線電話番号を設定モードで設定し、この外線通報先のかかり先の内容も登録・明示することによって、外部通報先がどこであったか等のかかり先忘れを防止することができるものである。従って、この情報システムは使用者にとって安全なユーザーインターフェースを備えているものである。
【００２８】
請求項１０記載の発明は、家庭内の１つまたは複数の端末機器からの情報を通信手段を介して情報機器へ収集することができる情報受信手段と、前記端末機器の一部がセンサから構成されており、前記端末機器へ機能設定情報を送信するための情報送信手段と、前記情報機器に前記端末機器の機能設定を表示するための設定手段と、前記設定手段上で前記センサの設定モードを在室者の行動に合わせて設定することができる設定モード変更機能とから構成されており、前記センサの設定モードを外部の通信装置から外部サーバを経由して確認することができ、前記設定モードを人が家に居ない場合の警戒設定にすることができる手段と、前記警戒設定を解除することができる手段とから構成されることを特徴とする情報システムを提供するものである。
【００２９】
これによって、在室者の行動にあわせて外出の場合や在室の場合で警戒設定モードを簡便に設定・解除することができ、またセンサの設定モードを外部の携帯電話等の通信装置から外部サーバを経由して確認することができ、設定モードを人が家に居ない場合の警戒設定にすることができ、警戒設定を解除することができることによって、外出時に警戒設定をし忘れても外部から行うことができるものである。
【００３０】
請求項１１記載の発明は、家庭内の１つまたは複数の端末機器からの情報を通信手段を介して収集することができる情報機器と、前記情報機器へ通信手段を介して情報を送受信することができる端末機器と、前記端末機器の一部がセンサから構成されており、前記センサの設定モードを在室者の行動に合わせて設定することができる情報システムにおいて、前記設定モードのうち人が家に居ない場合の警戒モードと、人が家に居る場合の警戒モードと、前記警戒モードを解除するための設定解除と、設定条件を設定するための設定モードから構成され、それらを選択するステップと、前記警戒モードに設定する前に前記設定モードにおいて、警戒に必要な時間条件を設定するステップとからなることを特徴とする情報システムの制御方法を提供するものである。
【００３１】
これによって、在室者の行動にあわせて外出の場合や在室の場合で警戒設定モードを簡便に設定・解除することができ、またその各警戒モードの特有の設定条件を、それら設定条件を設定する個別の画面を用いて設定することができるので、個々に簡便に設定することができるものである。従って、この情報システムは使用者にとってわかりやすいユーザーインターフェースを備えているものである。
【００３２】
請求項１２記載の発明は、家庭内の１つまたは複数の端末機器からの情報を通信手段を介して収集することができる情報機器と、前記情報機器へ通信手段を介して情報を送受信することができる端末機器と、前記端末機器の一部がセンサから構成されており、前記センサの設定モードを在室者の行動に合わせて設定することができる情報システムにおいて、前記設定モードのうち人が家に居ない場合の警戒モードと、人が家に居る場合の警戒モードと、前記警戒モードを解除するための設定解除と、設定条件を設定するための設定モードから構成され、それらを選択するステップと、前記警戒モードに設定する前に前記それぞれの設定モードにおいて、警戒に必要な特有の設定条件を個別に設定するステップとからなることを特徴とする情報システムの制御方法を提供するものである。
【００３３】
これによって、在室者の行動にあわせて外出の場合や在室の場合で警戒設定モードを簡便に設定・解除することができ、またその各警戒モードの特有の設定条件を、それら設定条件を設定する個別の画面を用いて設定することができるので、個々に簡便に設定することができるものである。従って、この情報システムは使用者にとってわかりやすいユーザーインターフェースを備えているものである。
【００３４】
請求項１３記載の発明は、請求項１〜１０のいずれかに記載の情報機器、情報システムの少なくとも一つの手段をコンピュータに実行させるためのプログラムを提供するものである。
【００３５】
またプログラムであるので汎用コンピュータや携帯情報端末を用いて本発明の情報機器の一部あるいは全てを容易に実現することができる。また記録媒体に記録したり通信回線を用いてプログラムを配信したりすることでプログラムの配布やインストール作業が簡単にできる。
【００３６】
以上のような構成とすることにより、本発明によれば、警戒設定モードを簡便に設定することができ、またその各警戒モードの特有の設定条件を個別に簡便に設定することができるものである。さらに、暗証番号忘れによる警戒モード解除不可を防止することができるものである。また、携帯電話等の外部の通信装置からも同じように警戒設定モードを設定することができ、設定を解除することができるものである。従って、情報装置は使用者にとってわかりやすいユーザーインターフェースを備えることができるものである。
【００３７】
【実施例】
以下、本発明の実施例について、図面を参照しながら説明する。
【００３８】
（実施例１）
実施例１の情報機器について図面を参照しながら説明する。図１は本発明の実施例１における情報機器および端末機器の概略模式図を示すものである。以下に本実施例における構成を説明する。
【００３９】
図１に示す本実施例の情報機器１は、液晶パネル３、送受信部４、情報処理部５、情報収集部６、情報送信部７とから構成されている。本情報機器１は、センサからなる各端末機器１１等と無線通信８によって接続されており、各機器からの情報収集を情報収集部６によって行う。これらの収集された情報等は情報処理部５によって処理し、送受信部４を用いて、電話回線手段１０を経由して外部に送受信することができる。
【００４０】
また、端末機器１１としては焦電型赤外線センサやビームセンサのような人体検知可能なセンサがあげられる。この端末機器１１は、人体検知部１６、情報処理部１２、情報受信部１４、情報送信部１３とから構成されている。
【００４１】
このような家庭内の１つまたは複数の端末機器１１と無線通信手段８を用いて接続することができる情報機器１で、この端末機器１１，２１群の内一部が人感センサから構成されており、この人感センサ１６に対して情報機器１上の液晶パネル３には設定機能を有している。この設定機能とは、センサを在室者の行動に合わせて警戒設定することができるものであり、外出時には全てのセンサを警戒状態にする外出警戒モード、家に人が居る場合特定のセンサのみを警戒状態にする在宅警戒モード、全ての警戒状態を解除するための警戒解除モード、それぞれの警戒状態を行うにあたって各警戒モード、各センサの設定を行う設定モードとから構成される設定モード変更機能である。
【００４２】
以上のような構成とすることにより、本発明によれば、センサを在室者の行動に合わせて警戒設定することができるものであり、警戒設定モードを簡便に設定することができ、またその各警戒モードの特有の設定条件を個別に簡便に設定することができるものである。従って、情報装置は使用者にとってわかりやすいユーザーインターフェースを備えることができるものである。
【００４３】
尚、本実施例では端末器の個数は２台であったが、台数は特に限定するものではなく、端末機器の登録ができる限りにおいては、端末器の台数は何台でも構わない。
【００４４】
（実施例２）
実施例２の情報機器について図面を参照しながら説明する。図２は本発明の実施例２におけるシステム全体を概略的に示す構成説明図を示すものである。以下に本実施例における構成を説明する。
【００４５】
図２に示す本実施例のシステムは、洗濯機１０５やエアコン１０６等の家電製品と各家庭１０９の玄関出入口に設置された人体検知センサ１０７、開閉センサ１０８等のセキュリティ機器を接続した情報機器１と、情報機器１を外部と接続するための回線接続手段１０３、外部のネットワークである宅外回線網１０２、情報センターサーバ装置１００、携帯電話１０４とから成る。
【００４６】
端末機器であるセンサとしては焦電型赤外線センサやビームセンサのような人体検知可能なセンサ１０７があげられる。まず、センサからなる端末機器の情報を情報機器で検知しようとすると、情報機器を警戒モードにする必要がある。実施例１と同じく、その警戒モード設定を液晶パネル上で在室者の行動にもとづいて設定を行うことによって、情報機器の設定を警戒モードにすることができる。この設定状態の情報は宅外回線網１０２を用いて、センターサーバ装置１００に送信される。また、センサが検知したことにより異常が発生すれば通信装置としての携帯電話１０４に連絡がある。さらに、携帯電話１０４から現在の警戒モードの状態をモニターすることができ、誰も家の中に居ないにもかかわらず外出警戒モードになっていなければ、携帯電話１０４から外出警戒モードに設定することができる。また、この外出警戒モードの設定を解除することもできる。
【００４７】
なお、人体検知センサは通過検知センサや開閉センサ、圧力センサ、音声センサのようなものでもよい。
【００４８】
本実施例は電話機や公衆回線で説明したがこれに限るものでなく、パソコンや携帯情報端末などの通信装置であってもよいし、専用回線やインターネット回線であってもよい。
【００４９】
以上によって、警戒設定モードを家の外部から簡便に設定することができ、またその警戒モードを家の外部から簡便に解除することができるものである。従って、情報装置は使用者にとってわかりやすいユーザーインターフェースを備えることができるものである。
【００５０】
尚、本実施例では端末器の個数は４台であったが、台数は特に限定するものではなく、端末機器がリンクできる限りにおいては、端末器の台数は何台でも構わない。
【００５１】
（実施例３）
実施例３の情報システムについて図面を参照しながら説明する。図３は本発明の実施例３におけるシステムを用いた情報機器の画面フロー図を示すものである。以下に本実施例における構成を説明する。
【００５２】
家庭内の１つまたは複数の端末機器１１と無線通信手段８を用いて接続することができる情報機器１で、この端末機器１１，２１群の内一部が人感センサから構成されており、この人感センサ１６に対して情報機器１上の液晶パネル３には設定機能３１を有している。この設定機能とは、センサを在室者の行動に合わせて警戒設定することができるものであり、外出時には全てのセンサを警戒状態にする外出警戒モード、家に人が居る場合特定のセンサのみを警戒状態にする在宅警戒モード、全ての警戒状態を解除するための警戒解除モード、それぞれの警戒状態を行うにあたって各警戒モード、各センサの設定を行う設定モードとから構成されている（３２）。このモードの中で外出警戒モードを選択すると、外出警戒モードに移行中ですという画面３３が表示され、指定された時間カウントダウンが行われる。このカウントダウン時間の間に外出警戒モードに設定した家人は家の外に出ることができる。その後外出警戒モードに設定されたことが容易にわかるような画面３４に遷移し、設置している全センサを検知可能な状態にして外出警戒を始まる。
【００５３】
また、情報機器１はセンサの状態を常に把握しているので、扉が開いている等によってセンサを警戒状態に移行させることができなければ、すぐに外出警戒モードに移行できない旨の警告画面３５を表示することができる。
【００５４】
また、図４は本発明の実施例３におけるシステムを用いた情報機器の画面フロー図を示すものである。以下に本実施例における構成を説明する。
【００５５】
家庭内の１つまたは複数の端末機器１１と無線通信手段８を用いて接続することができる情報機器１で、この端末機器１１、２１群の内一部が人感センサから構成されており、この人感センサ１６に対して情報機器１上の液晶パネル３には設定機能４１を有している。この設定機能とは、センサを在室者の行動に合わせて警戒設定することができるものであり、外出時には全てのセンサを警戒状態にする外出警戒モード、家に人が居る場合特定のセンサのみを警戒状態にする在宅警戒モード、全ての警戒状態を解除するための警戒解除モード、それぞれの警戒状態を行うにあたって各警戒モード、各センサの設定を行う設定モードとから構成されている（４２）。このモードの中で在宅警戒モードを選択すると、在宅警戒モードに移行中ですという画面４３が表示され、指定された時間カウントダウンが行われ、その後在宅警戒モードに設定されたことが容易にわかるような画面４４に遷移し、在宅警戒を続ける。
【００５６】
また、情報機器１はセンサの状態を常に把握しているので、扉が開いている等によってセンサを警戒状態に移行させることができなければ、すぐに在宅警戒モードに移行できない旨の警告画面４５を表示することができる。
【００５７】
以上のような構成とすることにより、本発明によれば、センサを在室者の行動に合わせて警戒設定することができるものであり、警戒設定モードを簡便に設定することができ、またその各警戒モードの特有の設定条件を個別に簡便に設定することができるものである。従って、情報装置は使用者にとってわかりやすいユーザーインターフェースを備えることができるものである。
【００５８】
（実施例４）
実施例４の情報システムについて図面を参照しながら説明する。図５は本発明の実施例４におけるシステムを用いた情報機器の画面フロー図を示すものである。以下に本実施例における構成を説明する。
【００５９】
家庭内の１つまたは複数の端末機器１１と無線通信手段８を用いて接続することができる情報機器１で、この端末機器１１，２１群の内一部が人感センサから構成されており、この人感センサ１６に対して情報機器１上の液晶パネル３には設定機能５１を有している。この設定機能とは、センサを在室者の行動に合わせて警戒設定することができるものであり、外出時には全てのセンサを警戒状態にする外出警戒モード、家に人が居る場合特定のセンサのみを警戒状態にする在宅警戒モード、全ての警戒状態を解除するための警戒解除モード、それぞれの警戒状態を行うにあたって各警戒モード、各センサの設定を行う設定モードとから構成されている（５２）。
【００６０】
このモードの中で設定モードを選択すると、各警戒モードにおける特有の設定条件と全ての警戒モードに対して共通の設定条件とが表示される（５３）。共通の設定においては、非警戒モードから警戒モードへ移行するための警戒移行時間、センサが感知した時警報を発するまでの警報移行時間、センサから警報を発する警報出力時間の、各種の時間を設定することができる（５５）。この警戒移行時間は在室者が居る場合の警戒準備時間であり、この時間の間にセンサの検知エリアから出て行く必要がある。また、警報移行時間は家人が家に帰ってきた時のための警報が鳴るまでの準備時間であり、この間に家人は警戒モードを解除してセンサからの警報を鳴らないようにすることができる。警報出力時間は、家人以外を検知した時に警報を発する時間であり、この間センサから大音量の音が鳴り近隣住人等が不審人物の徘徊に気付くものである。また、センサが感知した時の外部連絡先、警戒モードを解除するための暗証番号を設定することができる（５４）。
【００６１】
暗証番号の設定には２度の入力を行い、暗証番号の入力確認を確実に行ってもらい（５６、５７、５８）、もし暗証番号の入力が間違った場合は警告画面５９を表示する。
【００６２】
また、図６は本発明の実施例４におけるシステムを用いた情報機器の画面フロー図を示すものである。以下に本実施例における構成を説明する。
【００６３】
画面６２の警戒モード、解除モード、設定モードの中で設定モードを選択すると、各警戒モードにおける特有の設定条件と全ての警戒モードに対して共通の設定条件とが表示される（６３）。この中で各警戒モードにおける特有の設定条件において、在宅警戒モードの設定には警戒モードにするセンサを選択することが必要である。そのため、まず登録されているセンサ一覧が表示され、その中から警戒モードにするセンサを選択することができるようになっている（６４，６５）。
【００６４】
また、緊急コールボタンの設定においてはこのボタンが押された時に、全てのセンサから音を発するかどうかのマルチコール出力設定を行うことができる。
【００６５】
以上のような構成とすることにより、本発明によれば、センサを在室者の行動に合わせて警戒設定することができるものであり、警戒設定モードを簡便に設定することができ、またその各警戒モードの特有の設定条件を個別に簡便に設定することができるものである。従って、情報装置は使用者にとってわかりやすいユーザーインターフェースを備えることができるものである。
【００６６】
（実施例５）
実施例５の情報システムについて図面を参照しながら説明する。図７は本発明の実施例５におけるシステムを用いた情報機器の画面フロー図を示すものである。以下に本実施例における構成を説明する。
【００６７】
家庭内の１つまたは複数の端末機器１１と無線通信手段８を用いて接続することができる情報機器１で、この端末機器１１，２１群の内一部が人感センサから構成されており、この人感センサ１６に対して情報機器１上の液晶パネル３には設定機能３１を有している。この設定機能とは、センサを在室者の行動に合わせて警戒設定することができるものであり、外出時には全てのセンサを警戒状態にする外出警戒モード、家に人が居る場合特定のセンサのみを警戒状態にする在宅警戒モード、全ての警戒状態を解除するための警戒解除モード、それぞれの警戒状態を行うにあたって各警戒モード、各センサの設定を行う設定モードとから構成されている（３２）。このモードの中で外出警戒モードを選択し、警戒モードに入った後、人感センサの検知エリアに人が侵入してきた場合センサがその人体を検知したと反応し、緊急事態として警告画面７１を表示する。また、通信手段によって定期通信を行っている時にセンサから応答がない時、あるいは異常応答があった場合、センサ機器の方で故障が生じたと判断し、同じように警告画面７２を表示する。
【００６８】
以上のような構成とすることにより、本発明によれば、センサを在室者の行動に合わせて警戒設定することができるものであり、警戒設定モードを簡便に設定することができ、またその各警戒モードの特有の設定条件を個別に簡便に設定することができるものである。従って、情報装置は使用者にとってわかりやすいユーザーインターフェースを備えることができるものである。
【００６９】
（実施例６）
実施例６の情報システムについて図面を参照しながら説明する。図８は本発明の実施例６におけるシステムを用いた情報機器の画面フロー図を示すものである。以下に本実施例における構成を説明する。
【００７０】
家庭内の１つまたは複数の端末機器１１と無線通信手段８を用いて接続することができる情報機器１で、この端末機器１１，２１群の内一部が人感センサから構成されており、この人感センサ１６に対して情報機器１上の液晶パネル３には設定機能８１を有している。この設定機能とは、センサを在室者の行動に合わせて警戒設定することができるものであり、外出時には全てのセンサを警戒状態にする外出警戒モード、家に人が居る場合特定のセンサのみを警戒状態にする在宅警戒モード、全ての警戒状態を解除するための警戒解除モード、それぞれの警戒状態を行うにあたって各警戒モード、各センサの設定を行う設定モードとから構成されている（８２）。このモードの中で在宅警戒モードを選択すると、「在宅警戒モードに移行中です」という画面８３が表示され、指定された時間カウントダウンが行われ、その後在宅警戒モードに設定されたことが容易にわかるような画面８４に遷移し、在宅警戒を続ける。
【００７１】
また、情報機器１はセンサの状態を常に把握しているので、扉が開いている等によってセンサを警戒状態に移行させることができなければ、すぐに在宅警戒モードに移行できない旨の警告画面８６を表示することができる。
【００７２】
この警戒モードを解除するために警戒解除を選択すると、共通設定で設定した暗証番号を入力する画面８５を表示し、暗証番号が合っている場合のみ警戒モードを解除することができる。なお、警戒解除においては暗証番号を必ず入力する必要があり、設定していなくてもデフォルトの暗証番号を入力する必要がある。
【００７３】
以上のような構成とすることにより、本発明によれば、センサを在室者の行動に合わせて警戒設定することができるものであり、警戒設定モードを簡便に設定することができ、またその各警戒モードの特有の設定条件を個別に簡便に設定することができるものである。従って、情報装置は使用者にとってわかりやすいユーザーインターフェースを備えることができるものである。
【００７４】
（実施例７）
実施例７の情報システムについて図面を参照しながら説明する。図５は本発明の実施例７におけるシステムを用いた情報機器の画面フロー図を示すものである。以下に本実施例における構成を説明する。
【００７５】
家庭内の１つまたは複数の端末機器１１と無線通信手段８を用いて接続することができる情報機器１で、この端末機器１１，２１群の内一部が人感センサから構成されており、この人感センサ１６に対して情報機器１上の液晶パネル３には設定機能５１を有している。この設定機能とは、センサを在室者の行動に合わせて警戒設定することができるものであり、外出時には全てのセンサを警戒状態にする外出警戒モード、家に人が居る場合特定のセンサのみを警戒状態にする在宅警戒モード、全ての警戒状態を解除するための警戒解除モード、それぞれの警戒状態を行うにあたって各警戒モード、各センサの設定を行う設定モードとから構成されている（５２）。
【００７６】
このモードの中で設定モードを選択すると、各警戒モードにおける特有の設定条件と全ての警戒モードに対して共通の設定条件とが表示される（５３）。共通の設定においては、警戒モードへ移行するための警戒移行時間、センサが感知した時警報を発するまでの警報移行時間、センサから警報を発する警報出力時間の、各種の時間を設定することができる（５５）。また、センサが感知した時の外部連絡先、警戒モードを解除するための暗証番号を設定することができる（５４）。
【００７７】
暗証番号の設定には２度の入力を行い、暗証番号の入力確認を確実に行ってもらい（５６、５７、５８）、もし暗証番号の入力が間違った場合は警告画面５９を表示する。暗証番号を正確に入力し終わると、この登録された暗証番号を電話回線を用いてサーバーに送信し、サーバーで常に保持しておく。このようにすることによって、暗証番号を忘れた場合でもサーバーに電話連絡し本人であることの確認を行った後暗証番号を問い合わせることができる。また、サーバーに接続することによって本人であることの情報をあげ、その後暗証番号を問い合わせることによって、警戒モードを解除することができる。
【００７８】
以上のような構成とすることにより、本発明によれば、センサを在室者の行動に合わせて警戒設定することができるものであり、警戒設定モードを簡便に設定することができ、またその各警戒モードの特有の設定条件を個別に簡便に設定することができるものである。さらに、暗証番号忘れによる警戒モード解除不可を防止することができる。従って、情報装置は使用者にとってわかりやすいユーザーインターフェースを備えることができるものである。
【００７９】
（実施例８）
実施例８の情報システムについて図面を参照しながら説明する。図５は本発明の実施例８におけるシステムを用いた情報機器の画面フロー図を示すものである。以下に本実施例における構成を説明する。
【００８０】
家庭内の１つまたは複数の端末機器１１と無線通信手段８を用いて接続することができる情報機器１で、この端末機器１１，２１群の内一部が人感センサから構成されており、この人感センサ１６に対して情報機器１上の液晶パネル３には設定機能５１を有している。この設定機能とは、センサを在室者の行動に合わせて警戒設定することができるものであり、外出時には全てのセンサを警戒状態にする外出警戒モード、家に人が居る場合特定のセンサのみを警戒状態にする在宅警戒モード、全ての警戒状態を解除するための警戒解除モード、それぞれの警戒状態を行うにあたって各警戒モード、各センサの設定を行う設定モードとから構成されている（５２）。
【００８１】
このモードの中で設定モードを選択すると、各警戒モードにおける特有の設定条件と全ての警戒モードに対して共通の設定条件とが表示される（５３）。共通の設定においては、警戒モードへ移行するための警戒移行時間、センサが感知した時警報を発するまでの警報移行時間、センサから警報を発する警報出力時間の、各種の時間を設定することができる（５５）。また、センサが感知した時の外部連絡先、警戒モードを解除するための暗証番号を設定することができる（５４）。外部連絡先の設定においては、電話番号の入力を行い、設定後すぐにこの設定した外線電話に対してセンサを反応させずにその電話回線に接続するテスト通話を行うことによって、電話番号の間違い防止や通話の確認を行うことができる（６７、６８）。
【００８２】
以上のような構成とすることにより、本発明によれば、センサを在室者の行動に合わせて警戒設定することができるものであり、警戒設定モードを簡便に設定することができ、またその各警戒モードの特有の設定条件を個別に簡便に設定することができるものである。さらに、外部通報先のテスト通話をすることによって緊急時のエラーを防止することができるものである。従って、情報装置は使用者にとってわかりやすいユーザーインターフェースを備えることができるものである。
【００８３】
（実施例９）
実施例９の情報システムについて図面を参照しながら説明する。図５は本発明の実施例９におけるシステムを用いた情報機器の画面フロー図を示すものである。以下に本実施例における構成を説明する。
【００８４】
図面中同じ番号は先の実施例と同じなので説明を省く。情報機器１で、端末機器１１，２１群の内一部が人感センサから構成されており、この人感センサ１６に対して情報機器１上の液晶パネル３には設定機能５１を有している。（５２）。
【００８５】
このモードの中で設定モードを選択すると、各警戒モードにおける特有の設定条件と全ての警戒モードに対して共通の設定条件とが表示される（５３）。共通の設定においては、各種の時間を設定することができる（５５）。また、センサが感知した時の外部連絡先、警戒モードを解除するための暗証番号を設定することができる（５４）。
【００８６】
外部連絡先の設定においては、電話番号の入力を行い、その後その電話がどこの電話番号であるか、子供、親、兄弟、親戚、病院等その内容を登録し明示することによって、緊急電話がどこにかかるかを十分把握することができ、変更も容易に行うことができる（６７、６８、６９）。
【００８７】
以上のような構成とすることにより、本発明によれば、センサを在室者の行動に合わせて警戒設定することができるものであり、警戒設定モードを簡便に設定することができ、またその各警戒モードの特有の設定条件を個別に簡便に設定することができるものである。さらに、外部通報先の内容を明示することによって外部通報先忘れを防止することができるものである。従って、情報装置は使用者にとってわかりやすいユーザーインターフェースを備えることができるものである。
【００８８】
（実施例１０）
実施例２の情報システムについて図２を用いて説明する。
【００８９】
図２に示す本実施例のシステムは、洗濯機１０５やエアコン１０６等の家電製品と各家庭１０９の玄関出入口に設置された人体検知センサ１０７、開閉センサ１０８等のセキュリティ機器を接続した情報機器１と、情報機器１を外部と接続するための回線接続手段１０３、外部のネットワークであるインターネットの宅外回線網１０２、情報センターサーバ装置１００、携帯電話１０４とから成る。
【００９０】
端末機器であるセンサとしては焦電型赤外線センサやビームセンサのような人体検知可能なセンサ１０７があげられる。まず、センサからなる端末機器の情報を情報機器で検知しようとすると、情報機器を警戒モードにする必要がある。その警戒モード設定を液晶パネル上で在室者の行動にもとづいて設定を行うことによって、情報機器の設定を警戒モードにすることができる。この設定状態の情報はインターネット等の宅外回線網１０２を用いて、センターサーバ装置１００に送信される。また、センサが検知したことにより異常が発生すれば携帯電話１０４に連絡がある。さらに、携帯電話１０４から現在の警戒モードの状態をモニターすることができ、誰も家の中に居ないにもかかわらず外出警戒モードになっていなければ、携帯電話１０４から外出警戒モードに設定することができる。また、本人以外が速めに帰宅する時には、携帯電話によってこの外出警戒モードの設定を解除することもできる。
【００９１】
以上のような構成とすることにより、本発明によれば、センサを在室者の行動に合わせて警戒設定することができるものであり、警戒設定モードを簡便に設定することができ、またその各警戒モードの特有の設定条件を個別に簡便に設定することができるものである。さらに、携帯電話等の外部の通信装置からも同じように警戒設定モードを設定することができ、また設定モードを確認することができ、その設定を解除することができるものである。従って、情報装置は使用者にとってわかりやすいユーザーインターフェースを備えることができるものである。
【００９２】
（実施例１１）
実施例１１の情報システムの制御方法について図面を参照しながら説明する。図９は本発明の実施例１１におけるシステムを用いた情報機器の画面フロー図を示すものである。以下に本実施例における構成を説明する。
【００９３】
家庭内の１つまたは複数の端末機器１１と無線通信手段８を用いて接続することができる情報機器１で、この端末機器１１，２１群の内一部が人感センサから構成されており、この人感センサ１６に対して情報機器１上の液晶パネル３には設定機能９１を有している。この設定機能とは、センサを在室者の行動に合わせて警戒設定することができるものであり、外出時には全てのセンサを警戒状態にする外出警戒モード、家に人が居る場合特定のセンサのみを警戒状態にする在宅警戒モード、全ての警戒状態を解除するための警戒解除モード、それぞれの警戒状態を行うにあたって各警戒モード、各センサの設定を行う設定モードとから構成されている（９２）。このモードの中で設定モードを選択すると、各警戒モードにおける特有の設定条件と全ての警戒モードに対して共通の設定条件とが表示される（９３）。
【００９４】
各警戒モードにおける特有の設定条件の１つに緊急コールボタンの設定がある。この緊急コールボタンの設定は、ボタンを押した時の警報の発報時間、ボタンを押した時他のセンサ機器からの発報も行うかどうかを選択する設定、ボタンを押した時外部に通報するかどうかの設定、その外部の優先通報先の設定がある（９４〜９９）。
【００９５】
このような設定をすることによって、緊急コールボタンを正確に確実に使用することができる。特に、警戒モードに設定していなくても緊急コールボタンを押すことによって外部通報するという設定にしておくと、緊急コールボタンが押されると外部通報されて、緊急時の対応を早急にとることができる。また、緊急コールボタンが押されると他のセンサ機器から発報されるように設定しておくと、家に人がどこに居ても緊急コールボタンが押されるとその音に気付いて緊急事態を認識することができる。
【００９６】
以上のような構成とすることにより、本発明によれば、センサを在室者の行動に合わせて警戒設定することができるものであり、警戒設定モードを簡便に設定することができ、またその各警戒モードの特有の設定条件を個別に簡便に設定することができるものである。従って、情報装置は使用者にとってわかりやすいユーザーインターフェースを備えることができるものである。
【００９７】
（実施例１２）
実施例１２の情報システムの制御方法について図面を参照しながら説明する。図１０は本発明の実施例１２におけるシステムを用いた情報機器の画面フロー図を示すものである。以下に本実施例における構成を説明する。
【００９８】
家庭内の１つまたは複数の端末機器１１と無線通信手段８を用いて接続することができる情報機器１で、この端末機器１１，２１群の内一部が人感センサから構成されており、この人感センサ１６に対して情報機器１上の液晶パネル３には設定機能９１を有している。この設定機能とは、センサを在室者の行動に合わせて警戒設定することができるものであり、外出時には全てのセンサを警戒状態にする外出警戒モード、家に人が居る場合特定のセンサのみを警戒状態にする在宅警戒モード、全ての警戒状態を解除するための警戒解除モード、それぞれの警戒状態を行うにあたって各警戒モード、各センサの設定を行う設定モードとから構成されている（９２）。このモードの中で設定モードを選択すると、各警戒モードにおける特有の設定条件と全ての警戒モードに対して共通の設定条件とが表示される（９３）。
【００９９】
各警戒モードにおける特有の設定条件の１つに警戒設定がある。この警戒設定は、各種の時間設定、在宅警戒設定、センサが感知した時に本格的な警報出力の前に少し発報するセンサキャッチ音がある（１１０）。
【０１００】
時間設定においては、警戒設定が始まるまでの警戒待ち時間、警報が本格的に鳴るまでの警報遅延時間、警報音が本格的に鳴る警報報知時間がある（１１１、１１４〜１１６）。また、在宅警戒設定においてはどのセンサを使用するかを選択する在宅警戒センサ選択、センサが感知した時に外部に通報するかどうかの選択をする設定とがある（１１２、１１７〜１２０）。この時、在宅警戒センサ選択はデフォルトでは全て選択されている状態とする。また、登録されているセンサを全てＯＦＦにすることはできず、全てをＯＦＦにすると警告パネル１２１を表示する。このような設定をすることによって、警戒モードを正確に確実に使用することができる。特に、在宅警戒モードにおいてセンサを個別に選択したり、外部に通報するかどうかの選択をしたりすることによって、警戒モードの設定をスムーズにわかりやすく行うことができる。
【０１０１】
以上のような構成とすることにより、本発明によれば、センサを在室者の行動に合わせて警戒設定することができるものであり、警戒設定モードを簡便に設定することができ、またその各警戒モードの特有の設定条件を個別に簡便に設定することができるものである。従って、情報装置は使用者にとってわかりやすいユーザーインターフェースを備えることができるものである。
【０１０２】
また、これらの情報システム、およびその制御方法を情報機器で行うためには、情報機器内のＣＰＵコンピュータに実行させるためのプログラムを記録したことを特徴とするコンピュータ読み取り可能な独自のプログラムが必要である。
【０１０３】
【発明の効果】
以上のように、本発明の情報機器、情報システムおよびその制御方法によれば、家庭内の１つまたは複数の端末機器と通信手段を介して接続することができる情報機器で、前記端末機器の一部がセンサから構成されており、前記センサに対して設定機能を有した情報機器において、前記情報機器に前記端末機器の機能設定を行うための液晶パネルと、前記液晶パネル上で前記センサの設定モードを在室者の行動に合わせて設定することができるものである。
【０１０４】
以上のような構成とすることにより、本発明によれば、警戒設定モードを簡便に設定することができ、またその各警戒モードの特有の設定条件を個別に簡便に設定することができるものである。さらに、暗証番号忘れによる警戒モード解除不可を防止することができるものである。また、携帯電話等の外部の通信装置からも同じように警戒設定モードを設定することができ、かつ設定を解除することができるものである。従って、情報装置は使用者にとってわかりやすいユーザーインターフェースを備えることができるという効果を有するものである。
【０１０５】
従って、本発明の情報機器、情報システムおよびその制御方法、プログラムを用いることによって、容易に、高精度に、信頼性の高い、低コストな監視システムが可能となり、ＨＩＩ（ＨＯＭＥ  ＩＮＦＯＲＭＡＴＩＯＮ  ＩＮＦＲＡＳＴＲＵＣＴＵＲＥ）事業の拡大に大きく寄与することができる。
【図面の簡単な説明】
【図１】本発明の実施例１における情報機器および端末機器の概略模式図
【図２】本発明の実施例２におけるシステム全体を概略的に示す構成説明図
【図３】本発明の実施例３におけるシステムを用いた情報機器の画面フロー図
【図４】本発明の実施例３におけるシステムを用いた情報機器の画面フロー図
【図５】本発明の実施例４におけるシステムを用いた情報機器の画面フロー図
【図６】本発明の実施例４におけるシステムを用いた情報機器の画面フロー図
【図７】本発明の実施例５におけるシステムを用いた情報機器の画面フロー図
【図８】本発明の実施例６におけるシステムを用いた情報機器の画面フロー図
【図９】本発明の実施例１１におけるシステムを用いた情報機器の画面フロー図
【図１０】本発明の実施例１２におけるシステムを用いた情報機器の画面フロー図
【符号の説明】
１  情報機器
３  液晶パネル（設定手段）
６  情報収集部（通信手段）
７  情報送信部（通信手段）
８  無線通信（通信手段）
１１、２１  端末機器
１３、２３  情報送信部（通信手段）
１４、２４  情報受信部（通信手段）
１６、２６  センサ検知部
１００  サーバー装置
１０４  携帯電話（通信装置）
【図１】
2004252532.tif 000003
【図２】
2004252532.tif 000004
【図３】
2004252532.tif 000005
【図４】
2004252532.tif 000006
【図５】
2004252532.tif 000007
【図６】
2004252532.tif 000008
【図７】
2004252532.tif 000009
【図８】
2004252532.tif 000010
【図９】
2004252532.tif 000011
【図１０】
2004252532.tif 000012